(57)【要約】【課題】  本発明は、管継手基体の気密又は水密試験のための治具に関するものであり、試験のために用いられるに必要な部品点数が少なく、試験時には管継手に対して装着性のよい治具を提案するものである。【解決手段】  管継手基体内に差し込まれて気密又は水密試験に供せられる試験用治具であって、当該試験用治具は、実際に差し込まれる管体の外形と同形をなす蓋体と、当該蓋体の外表面で、管継手が使用に供せられる際に、管継手基体内に内蔵されるコレット及びコレット収納部材等に相当する部位に突起を形成した管継手基体の気密又は水密試験用治具。１‥管継手本体、２‥胴部、３‥Ｏ−リング、５‥コレット、６‥キャップ、１０‥気密又は水密試験用治具（蓋体）、１１‥突起。【選択図】  図４
2006250907.tif 000002
【特許請求の範囲】
【請求項１】
管継手基体内に差し込まれて気密又は水密試験に供せられる試験用治具であって、当該試験用治具は、実際に差し込まれる管体の外形と同形をなす蓋体と、当該蓋体の外表面で、管継手が使用に供せられる際に、管継手基体内に内蔵されるコレット及びコレット収納部材等に相当する部位に突起を形成したことを特徴とする管継手基体の気密又は水密試験用治具。
【請求項２】
前記突起が周突条である請求項１記載の管継手基体の気密又は水密試験用治具。
【請求項３】
気密試験時に、キャップの先端と当該突起が接触して蓋体の抜けを防止した請求項１又は２記載の管継手基体の気密又は水密試験用治具。
【発明の詳細な説明】
【技術分野】
【０００１】
本発明は管継手の気密又は水密試験用治具に関するものであり、管継手基体における気密又は水密試験（以下、気密試験をもって代表する）を可能としたものである。
【背景技術】
【０００２】
近年に至り、戸建住宅や集合住宅において各種の比較的簡便な配管施工法が開発され、これに伴い、管体をつなぐ管継手も種々の製品が提案されている。かかる管継手の基本的な構造は管継手基体内にＯ−リングと保形リングとしてのコレットが内蔵され、これらが抜け出さないようにキャップにて保持するものである。そして、キャップの中央より管体が差し込まれるが、このＯ−リングが管体の表面に接触してシ−ル性を発揮すると共に、コレットの爪部が管体の表面に食い込んで、管体が継手より抜けるのを阻止する構造となっている。
【０００３】
しかるに、特に問題となる点は、Ｏ−リングによるシ−ル性の問題であり、このシ−ル性が不十分であると、施工後に漏水が生じ、大きな事故につながってしまう。
【０００４】
かかる漏水等の事故の発生を事前に防止するために、管継手の気密保持試験が行われている。しかるに、従来の気密保持試験は管継手基体内にＯ−リング、コレット等が組み込まれ、キャップを螺合して管継手として完成品をなし、その後、使用に供される管体と外形が同形で中実の蓋体が差し込まれ、次いで、バンド状の固定具を用いて管継手に蓋体を固定する必要があった。
【０００５】
図１は現行の管継手の半裁断面図であり、図２はこの管継手の気密保持試験の概要を示す半裁断面図である。管継手は本体１に二つの段差部２ａ、２ｂをもつ胴部２が形成され、深部側の段差部２ｂが図示しないパイプの先端の差し込みを規制するものであり、浅部側の段差部２ａ内にＯ−リング３、爪４を備えたコレット５が順次挿入され、キャップ６を本体１に螺合して組立が完了する構造である。そして、コレット５は浅部側にスリット５ｂが軸方向に備えられるもので、パイプが抜け出そうとする方向に移動しようとする際には、コレット５側の外表面テ−パ−５ａとキャップ６側の内表面テ−パ−６ａとが接触しあって、コレット５を内側に締めつけてパイプの抜けが防止されるものである。尚、図中の符号７は省略可能な受けリングである。
【０００６】
かかる状態が管継手として完成品となり実際の使用に供されるものであるが、気密保持試験は、本来差し込まれるパイプと同形の外形をもつ気密試験用治具としての蓋体１０を差し込み、更にこの蓋体１０の抜けを防止するためにバンド状の固定具２０をもって管継手に固定するものであった。しかるに、かかる気密保持試験法では、図示したように完成品として全ての構成部材を組み込んだ管継手の評価はできるものの、管継手基体単体での評価ができなかった。
【０００７】
又、従来の気密保持試験法では、試験のために用いられる部品点数が密封のための蓋体と、これを固定するためのバンド状固定具が必要であり、試験に際しての作業性の点でも問題があった。
【発明の開示】
【発明が解決しようとする課題】
【０００８】
本発明は、管継手基体の気密試験のための治具に関するものであり、気密試験のために用いられるために必要な部品点数が少なく、気密試験時には管継手に対して装着性のよい治具を提案するものである。
【課題を解決するための手段】
【０００９】
本発明の要旨は、管継手基体内に差し込まれて気密又は水密試験に供せられる試験用治具であって、当該試験用治具は、実際に差し込まれる管体の外形と同形をなす蓋体と、当該蓋体の外表面で、管継手が使用に供せられる際に、管継手基体内に内蔵されるコレット及びコレット収納部材等に相当する部位に突起（好ましくは周突条）を形成したものである。そして、気密又は水密試験時には、前記キャップの先端と当該突起が接触して蓋体の抜けを防止した管継手の試験用治具である。
【発明の効果】
【００１０】
本発明は以上の通りであって、従来の気密又は水密試験時におけるバンド状の固定具を省略したもので、しかも、管継手基体単独の試験用の治具を提供できたものである。従って、試験結果も管継手基体の状態を試験できることとなったものであり、万一不具合が発見されても、管継手基体側の不具合であって、その対策が容易になったものである。
【発明を実施するための最良の形態】
【００１１】
従来の気密試験用治具にあっては、前記したように管継手の完成品を試験した結果となっており、管継手基体の不具合を直接試験するものではない。そして、試験方法としても管継手を完全かつ正確に組み立てて試験する必要があり、その試験に供するまでの各種部材の装着にも時間が掛かり、試験時の作業性にも問題が残っていた。
【００１２】
本発明は、かかる点に鑑みてなされたものであって、従来の気密試験に用いられる蓋体に工夫を凝らし、バンド状固定具を廃止し、しかも管継手基体単独の試験を行えるように改造したものである。即ち、気密試験は管継手を完全に組み立てる必要はなく、必要最小限のＯ−リングを内蔵させるだけであり、その試験時の作業性は極めて簡単になったものである。
【００１３】
本発明にあっては気密試験用治具のみを用いることによって試験ができることとなったものであり、管継手基体内に差し込まれる蓋体の外表面の所定位置、即ち、キャップの先端に接触するように好ましくは周突条をなす突起を備えたものであり、これにてコレット或いはコレット収納部材等の装着の手間が省けることとなったものである。
【００１４】
尚、蓋体の外形は、管継手が実際に用いられる際に差し込まれる管体の外形と同形をなしており、管体は中空となっているのに対し、蓋体は中実、即ち、管体の中空部が塞がれた状態となっている。従って、本発明で言う蓋体における中実とは完全な中実状態が含まれることは勿論であるが、差し込まれる管体の中空部が塞がっている状態をも含むものである。
【実施例】
【００１５】
以下、本発明を図面をもって更に詳細に説明する。図３は本発明の管継手気密試験用治具の一例を示す一部断面図であり、図４はこれを管継手内へ組み込んだ際の一部断面図である。継手は図１〜２にて示したものと同じでありここでは説明を省略する。符号１０は本発明の気密保持用治具（蓋体）であり、この例では金属製であり中実状をなしている。そして、外形は差し込まれる管体の外形と同一であり、その外周表面に突起（この例では周突条）１１を形成したものである。
【００１６】
この蓋体１０の使用にあっては、管継手基体１内にＯ−リング２を内蔵した後、直にこの気密保持用治具１０を差し込み、次いでキャップ６を螺合することによって管継手基体１の気密試験ができることとなったものであり、コレットを内蔵させる必要はなく試験時の作業工数が少なくなったものである。即ち、本発明における蓋体１０の突起１１がコレットの替わりをなし、しかも、これが管継手基体１に螺合されるキャップ６に接触して蓋体１０の抜けが防止されるものであり、これによって従来から用いられていたバンド状固定具２０が不要となったものである。
【００１７】
尚、本発明の気密又は水密試験用治具は通常の構造を備えた管継手全てに使用可能であり、図５は図１に示す管継手とは別例の管継手を示すものである。即ち、この例では本体１の段差部２ａ内にＯ−リング３、コレット収納部８、コレット５、が収納されたものである。コレット収納部８は先端８ａが管継手１の先端に引っ掛けるフランジ部となっている例である。
【００１８】
この管継手の場合にあっても、図６に示すように蓋体１０の突起１１がコレット５（及びコレット収納部８）の替わりをなし、しかも、これが管継手基体１に螺合されるキャップ６に接触して蓋体１０の抜けが防止され、気密又は水密試験が行われることとなる。
【産業上の利用可能性】
【００１９】
本発明の気密又は水密試験用治具を用いれば、その試験時における作業性が簡便となるばかりでなく、本来的な管継手基体とＯ−リングの間のみの気密又は水密試験が行えることとなったものであり、他の管継手における気密又は水密試験に全て適用可能であり、その利用価値は高い。
【図面の簡単な説明】
【００２０】
【図１】図１は従来の管継手を示す分解斜視図である。
【図２】図２は従来の管継手の気密試験状態を示す一部断面図である。
【図３】図３は本発明の気密試験用治具を示す一部断面図である。
【図４】図４は本発明の気密試験用治具を用いた管継手の気密試験状態を示す一部断面図である。
【図５】図５は本発明の気密試験用治具が用いられる管継手の別例を示す半裁図である。
【図６】図６は図５に示す管継手の気密試験状態を示す一部断面図である。
【符号の説明】
【００２１】
１‥継手本体、
２‥胴部、
２ａ、２ｂ‥段差部、
３‥Ｏ−リング、
４‥爪、
５‥コレット、
５ａ‥コレットのテ−パ−、
５ｂ‥スリット、
６‥キャップ、
６ａ‥キャップのテ−パ−、
１０‥気密試験用治具（蓋体）、
１１‥突起。
【図１】
2006250907.tif 000003
【図２】
2006250907.tif 000004
【図３】
2006250907.tif 000005
【図４】
2006250907.tif 000006
【図５】
2006250907.tif 000007
【図６】
2006250907.tif 000008